(57)【要約】【課題】電子機器の本体ケースの小型化及び軽量化が妨げられることを防止するため、電子機器の本体ケースの記憶媒体読取装置収容部に収容される記憶媒体読取装置内に無線ユニットを取り付け、外部の機器との間で無線通信を行なうことを可能にした電子機器及び電子機器と外部の機器との間で無線通信を行なうための無線ユニットを備え、電子機器に収容される記憶媒体読取装置を提供することを目的とする。【解決手段】パソコンの本体ケースに備えた記憶媒体読取装置収容部に収容されるマルチメモリカードリーダ装置１内に無線ユニット６を取り付ける【選択図】図１
2007233672.tif 000002
【特許請求の範囲】
【請求項１】
電子機器において、
記憶媒体読取装置収容部に収容される記憶媒体読取装置に、外部の機器との間で無線通信を行なうための無線ユニットを取り付けたことを特徴とする電子機器。
【請求項２】
請求項１記載の電子機器において、
前記記憶媒体読取装置収容部は３．５インチサイズの記憶媒体読取装置収容部であることを特徴とする電子機器。
【請求項３】
電子機器に収容される記憶媒体読取装置において、
前記電子機器と外部の機器との間で無線通信を行なうための無線ユニットを取り付けたことを特徴とする記憶媒体読取装置。
【請求項４】
請求項３記載の記憶媒体読取装置において、
前記記憶媒体読取装置は前記電子機器の３．５インチサイズの記憶媒体読取装置収容部に収容されることを特徴とする記憶媒体読取装置。
【発明の詳細な説明】
【技術分野】
【０００１】
本発明は、外部機器との間で無線通信を行なうための無線ユニットを備えた電子機器に関し、より詳しくは、電子機器に収容される記憶媒体読取装置に無線ユニットを備えた電子機器に関する。
【背景技術】
【０００２】
近年、無線通信技術の進歩に伴って、例えば、Ｂｌｕｅｔｏｏｔｈ（登録商標）などの通信規格に準拠した無線通信機器が開発されている。さらに、パーソナルコンピュータ(以下、パソコンという)において、外部の機器であるワイヤレスキーボードやワイヤレスマウスとの間で無線通信を行なう場合、パソコンの本体ケースに備えた各種ディスクドライブを収容するドライブ収容部を利用して、ドライブが収容されていない未使用のドライブ収容部の前面パネルの裏面に、無線信号を送受信する無線ユニットを取り付けたパソコンが知られている（例えば、特許文献１）。
【０００３】
【特許文献１】特開２００１−２９０５５８号公報
【発明の開示】
【発明が解決しようとする課題】
【０００４】
このように従来の無線ユニットを取り付けたパソコンでは、未使用のドライブ収容部に無線ユニットが取り付けられるため、さらに各種ディスクドライブを追加収容する必要が生じた場合、無線ユニットが取り付けられているため収容できないという問題を有していた。
【０００５】
また、従来の無線ユニットを取り付けたパソコンでは、無線ユニットが小型化されているにもかかわらず、未使用のドライブ収容部が無線ユニットの設置スペースとなるため、無駄にスペースが確保されることになる。そのため、パソコンの本体ケースの小型化及び軽量化が妨げられるという問題を有していた。
【０００６】
本発明は、上記従来技術の有する問題に鑑みなされたものであり、電子機器の本体ケースの小型化及び軽量化が妨げられることを防止するため、電子機器の本体ケースの記憶媒体読取装置収容部に収容される記憶媒体読取装置に無線ユニットを取り付け、外部の機器との間で無線通信を行なうことを可能にした電子機器及び電子機器と外部の機器との間で無線通信を行なうための無線ユニットを備え、電子機器に収容される記憶媒体読取装置を提供することを目的とする。
【課題を解決するための手段】
【０００７】
上記目的を達成するために、本発明は、電子機器において、記憶媒体読取装置収容部に収容される記憶媒体読取装置に、外部の機器との間で無線通信を行なうための無線ユニットを取り付けたことを特徴とする。
【０００８】
本発明の電子機器において、前記記憶媒体読取装置収容部は３．５インチサイズの記憶媒体読取装置収容部であることが好適である。
【０００９】
また、本発明は、電子機器に収容される記憶媒体読取装置において、前記電子機器と外部の機器との間で無線通信を行なうための無線ユニットを取り付けたことを特徴とする
【００１０】
本発明の記憶媒体読取装置において、前記記憶媒体読取装置は前記電子機器の３．５インチサイズの記憶媒体読取装置収容部に収容されることが好適である。
【発明の効果】
【００１１】
本発明によれば、電子機器の本体ケースの記憶媒体読取装置収容部に収容される記憶媒体読取装置に無線ユニットを取り付けるため、無線ユニットを設置するスペースを電子機器の本体ケースに別途確保する必要が無く、電子機器の本体ケースを小型化及び軽量化することができる。
【発明を実施するための最良の形態】
【００１２】
以下に、本発明の実施の形態による電子機器に収容される記憶媒体読取装置について図を用いて説明する。
【００１３】
図１は、本発明を実施した記憶媒体読取装置であるマルチメモリカードリーダ装置１の分解斜視図である。マルチメモリカードリーダ装置１は、スマートメディア、コンパクトフラッシュ（登録商標）、メモリースティック、ＳＤカード、マルチメディアカード（登録商標）などの複数の記憶媒体のデータの読み取りに対応し、複数の大きさの異なるカードスロットを有する。
【００１４】
なお、記憶媒体読取装置であるマルチメモリカードリーダ装置１は、読み取り機能のみならず、データの書き込み機能を備えるものも含む概念である。
【００１５】
同図において、２はマルチメモリカードリーダ装置１の上部筐体、３は各種スロット３ａ、３ｂ、３ｃ、３ｄを有する回路基板、４は下部筐体、５はフロントベゼル、６は無線ユニット、７はプリント基板、８は無線モジュール、９はコネクタである。
【００１６】
無線ユニット６は、無線モジュール８及びコネクタ９が実装されたプリント基板７がビス７ａによりビス止めされて構成されている。なお、プリント基板７はビス止めではなく、接着などにより固定される構成でもよい。
【００１７】
プリント基板７の略中央には、無線モジュール８が取り付けられている。無線モジュール８には、図示しないが所定の無線信号を送受信するための発振器やエンコーダ、デコーダなどが備えられている。なお、無線モジュール８には同じく図示しないがアンテナが接続されている。アンテナはプリント基板７の表面に配接される薄型のアンテナでもよい。
【００１８】
また、プリント基板７には、無線モジュール８に接続されたコネクタ９が取り付けられている。コネクタ９は、マルチメモリカードリーダ装置１が電子機器の本体ケースに収容された際、図示しない所定のケーブルによって電子機器の本体ケースに内蔵された主基板に接続される。なお、コネクタ９に接続されるケーブルを介して、無線ユニット６へ電源が供給される。
【００１９】
同図に示すように、まず、下部筐体４上に設けられた係合部４ａ、４ｂ、４ｃに、無線ユニット６のガイド凹部６ａ、６ｂ、６ｃを係合させ、ビス６ｄにより係合部４ｃとガイド凹部６ｃがビス止めされ、無線ユニット６が下部筐体４上に取り付けられる。
【００２０】
つぎに、下部筐体４に設けられた取付片４ｄ、４ｅに、回路基板３がビス１０、１１によりビス止めされ、回路基板３が下部筐体４に取り付けられる。また、上部筐体２が回路基板３を覆うように取り付けられ、上部筐体２及び下部筐体４の前端にはフロントベゼル５が取り付けられる。このフロントベゼル５には、各種スロット３ａ、３ｂ、３ｃ、３ｄに対応して記憶媒体が挿入される開口が設けられている。
【００２１】
そして、上述のように構成されたマルチメモリカードリーダ装置１が電子機器の本体ケースに備えた記憶媒体読取装置収容部（ドライブ収容部）に収容される。この際、下部筐体４に設けられた取付部４ｆ、４ｇ、４ｈ、４ｉと本体ケースの記憶媒体読取装置収容部がビス止めされてマルチメモリカードリーダ装置１が記憶媒体読取装置収容部に固定される。
【００２２】
なお、図示しないがマルチメモリカードリーダ装置１が収容される電子機器はパソコンであり、パソコンの本体ケースに備えた記憶媒体読取装置収容部にマルチメモリカードリーダ装置１が収容される。上述したように収容されたマルチメモリカードリーダ装置１に取り付けられた無線ユニット６のコネクタ９は、所定のケーブルによってパソコンの本体ケースに内蔵された主基板に接続される。
【００２３】
これにより、パソコンが実行する各種処理動作は、ワイヤレスキーボードあるいはワイヤレスマウスからの指示入力に従って行なわれる。より詳しくは、ワイヤレスキーボードあるいはワイヤレスマウスからの指示入力は無線信号として送信され、無線ユニット６によって受信されると、受信内容がパソコン本体ケースの主基板へ送信される。そして、受信内容に従い、パソコンの各種処理動作が実行される。
【００２４】
なお、無線モジュール８は、パソコンとワイヤレスキーボードやワイヤレスマウスとの間で無線信号の送受信を行なうものであり、無線信号の通信方式は、例えば、Ｂｌｕｅｔｏｏｔｈ規格に準じたものである。もちろんその他の方式でもよい。
【００２５】
上述のように、パソコンの本体ケースに備えた記憶媒体読取装置収容部に収容されるマルチメモリカードリーダ装置１に無線ユニット６を取り付けるため、パソコンの本体ケースの未使用の記憶媒体読取装置収容部のスペースを犠牲にすることなく、無線ユニット６を取り付けることができる。
【００２６】
これにより、新たにパソコンの本体ケースに他の記憶媒体読取装置を追加収容する必要が生じた場合でも、未使用の記憶媒体読取装置収容部に収容することが可能となる。
【００２７】
また、無線ユニット６を設置するスペースをパソコンの本体ケースに別途確保する必要が無いため、パソコンの本体ケースを小型化及び軽量化することができる。
【００２８】
なお、本実施形態によるマルチメモリカードリーダ装置１は、３．５インチサイズの記憶媒体読取装置収容部に収容される装置であるため、マルチメモリカードリーダ装置１に無線ユニット６を取り付けることは、パソコンの本体ケースの小型化及び軽量化に有効である。
【００２９】
さらに、マルチメモリカードリーダ装置１では、上部筐体２が下部筐体４を完全に覆うように取り付けられておらず、上部筐体２は回路基板３を覆うのみである。マルチメモリカードリーダ装置１の後方部にはスペースが確保され、上部筐体２と下部筐体４との間には隙間も確保されている。すなわち、マルチメモリカードリーダ装置１の後方部には、開口が形成されている。
【００３０】
これにより、無線ユニット６のコネクタ９とパソコンの本体ケースに内蔵された主基板とをケーブルによって接続することも容易に行なうことができる。すなわち、上部筐体２と下部筐体４との間の隙間であるマルチメモリカードリーダ装置１後方部の開口からケーブルによってコネクタ９とパソコンの本体ケースに内蔵された主基板とを容易に接続することができる。
【００３１】
また、無線ユニット６は、マルチメモリカードリーダ装置１内の前方部、より詳しくは、フロントベゼル５の裏側である下部筐体４の前端側に取り付けられるため、無線信号の受信を確実に行なうことができる。すなわち、パソコンの本体ケースにマルチメモリカードリーダ装置１が収容された際、マルチメモリカードリーダ装置１のフロントベゼル５の前面側から無線信号が送信される場合に好適である。
【００３２】
以上、本発明の実施形態について説明したが、本発明は図面に示された実施形態に限定されることなく、本発明の技術的思想に基づいて各種の変更が可能である。例えば、無線ユニット６は、マルチメモリカードリーダ装置１内に取り付けられる例を示したが、マルチメモリカードリーダ装置１が小型化されれば、無線ユニット６をマルチメモリカードリーダ装置１の上面や下面、側面などマルチメモリカードリーダ装置１の外側に取り付けてもよい。要はマルチメモリカードリーダ装置１に無線ユニット６を取り付けた状態でパソコンの記憶媒体読取装置収容部に収容することが可能であれば、無線ユニット６の取り付け位置は適宜設定可能である。
【図面の簡単な説明】
【００３３】
【図１】本発明の実施形態にかかる記憶媒体読取装置を示す分解斜視図である。
【符号の説明】
【００３４】
１・・・・・・マルチメモリカードリーダ装置
２・・・・・・上部筐体
３・・・・・・回路基板
４・・・・・・下部筐体
５・・・・・・フロントベゼル
６・・・・・・無線ユニット
７・・・・・・プリント基板
８・・・・・・無線モジュール
９・・・・・・コネクタ
【図１】
2007233672.tif 000003